(57)【要約】【課題】  品物と一緒に提供されるコンパクトディスクを、簡便に収納可能にする品物の包装容器におけるコンパクトディスクの収納構造を提供すること。【解決手段】  上部が開口された容器本体１１と、その上部の開口を閉塞する蓋体１２よりなる品物の包装容器１０において、前記蓋体１２の上端または容器本体１１の下端に、コンパクトディスク２０の形状に対応する収納凹部１３を設け、該収納凹部１３の中央にコンパクトディスク２０の中心孔２１に対応する嵌合突部１４を設ける。【選択図】    図１
2006188283.tif 000002
【特許請求の範囲】
【請求項１】
上部が開口された容器本体（１１）と、その上部の開口を閉塞する蓋体（１２）よりなる品物の包装容器（１０）において、
前記蓋体（１２）の上端にコンパクトディスク（２０）の形状に対応する収納凹部（１３）を設け、該収納凹部（１３）の中央にコンパクトディスク（２０）の中心孔（２１）に対応する嵌合突部（１４）を設けたことを特徴とする、品物の包装容器におけるコンパクトディスクの収納構造。
【請求項２】
前記嵌合突部（１４）の外側縁に、コンパクトディスクの中心孔（２１）の上縁に係止される多数の係止突起（１４ａ）を放射状に形成することにより、コンパクトディスク（２０）を一層堅固に支持可能にしたことを特徴とする、請求項１に記載の品物の包装容器におけるコンパクトディスクの収納構造。
【請求項３】
前記収納凹部（１３）の内周面に、コンパクトディスク（２０）の外周側の上縁に係止される多数の係止突起（１３ａ）を形成することにより、コンパクトディスク（２０）を一層堅固に収納・支持可能にしたことを特徴とする、請求項１に記載の品物の包装容器におけるコンパクトディスクの収納構造。
【請求項４】
容器本体（１１）の下端に収納凹部（１３）を設け、該収納凹部（１３）の内周面に、コンパクトディスク（２０）の外周側の上縁に係止される多数の係止突起（１３ａ）を形成することにより、コンパクトディスク（２０）を一層堅固に収納・支持可能にしたことを特徴とする、請求項１に記載の品物の包装容器におけるコンパクトディスクの収納構造。
【発明の詳細な説明】
【技術分野】
【０００１】
本発明は、飲み物やお弁当などの食品、またはその他の品物を安全に収めて提供するための品物の包装容器に係り、詳しくは、容器本体の内部に入れられる品物と一緒にコンパクトディスクを提供可能に講じられたコンパクトディスクの収納構造に関する。
【背景技術】
【０００２】
通常、品物の包装容器は、包装すべき品物を考慮して筒状、長方形などの各種の形状を有する。例えば、飲み物用の包装容器としては筒状のものが汎用され、スナック菓子やお弁当などの食品用の包装容器としては長方形のものが汎用される。
【０００３】
この種の品物の包装容器は、上部が開口された容器本体と、その上部の開口を閉塞する蓋体よりなるのが普通であり、容器本体に品物を入れた後、蓋をして提供することにより、運送や取扱い中に容器本体の内部において品物が失われることを防いでいる。
【０００４】
一方、特定の品物を購入するとき、プレゼントとして他の品物を一緒に提供する場合もあり、近年、飲み物や食品などの特定の品物を購入したとき、該商品と一緒に音楽や映像、ゲームなどが収録されているコンパクトディスクを提供する場合が増えてきている。
【０００５】
しかしながら、従来の品物の包装容器においては、コンパクトディスクが収納可能な別途の構造がなく、コンパクトディスクを別途に包んで提供する必要があった。そのため、かなりの包装代がよぶんにかかり、しかも、その保管及び取り扱いに少なくない不都合が出ていた。
【０００６】
さらに、従来には、コンパクトディスクをプレゼントとしてあげるとき、別途に包んでおいたコンパクトディスクを粘着テープなどを使って蓋体の上に貼り付けて提供したり、蓋体の上に載せた後、品物の包装容器と一緒にビニール袋などを使って再包装して提供したりしていた。
しかしながら、前者の場合、外観がきれいではなく、取り扱いや運送中にコンパクトディスクが分離されて落とされる恐れがあり、後者の場合にも、外観がきれいではなく、コンパクトディスクの支持状態が不良なため、破損の恐れがあるだけではなく、外部の包装作業に手間とお金がかかるなどの不具合があった。
【発明の開示】
【発明が解決しようとする課題】
【０００７】
本発明は、上記した背景技術の事情に鑑みてなされたものであって、その目的は、品物の包装容器に収められている品物と一緒に提供されるコンパクトディスクを、一層堅固でかつ安全に包装することのできる品物の包装容器におけるコンパクトディスクの収納構造を提供するにある。
【課題を解決するための手段】
【０００８】
本発明は、上記の目的を達成するために、品物の包装容器の蓋体の上端または容器本体の下端に、コンパクトディスクの形状に対応する収納凹部を設け、該収納凹部の中央にコンパクトディスクの中心孔に対応する嵌合突部を設けることを特徴とする、品物の包装容器におけるコンパクトディスクの収納構造を提供する。
【発明の効果】
【０００９】
本発明は、容器本体の上部の開口を閉塞する蓋体の上端または容器本体の下端に、コンパクトディスクの形状に対応する収納凹部を設けることにより、品物が収められている品物の包装容器と一緒に提供されるコンパクトディスクを、別途に包装または保管する手間をかける必要がなく、品物の包装容器の蓋体または容器本体に手軽でかつ堅固に収納可能になるので、品物の販売時に一緒に提供されるコンパクトディスクの保管、運送及び取り扱いを極めて簡便に行えるなどの効果を得ることができる。
【発明を実施するための最良の形態】
【００１０】
以下、添付した図面に基づき、本発明に係る品物の包装容器におけるコンパクトディスクの収納構造を詳述する。
【００１１】
図１は、本発明の第１の実施の形態による品物の包装容器の分解斜視図であり、図２は、同品物の包装容器の結合状態の斜視図であり、そして、図３は、同品物の包装容器の要部縦断面図である。さらに、図４ないし図６は、それぞれ本発明の第２の実施の形態による品物の包装容器の分解斜視図、第３の実施の形態による品物の包装容器の分解斜視図、第４の実施の形態による品物の包装容器の分解斜視図である。また、図７は、本発明の第５の実施の形態による品物の包装容器の要部縦断面図である。
【００１２】
本発明による品物の包装容器は、上部が開口された容器本体１１と、その上部の開口を閉塞する蓋体１２よりなる品物の包装容器１０において、前記蓋体１２の上端にコンパクトディスク２０の形状に対応する収納凹部１３を設け、該収納凹部１３の中央にコンパクトディスク２０の中心孔２１に対応する嵌合突部１４を設けてなる。
【００１３】
図１ないし図３に示された本発明の第１の実施の形態、図４に示された本発明の第２の実施の形態、及び図７に示された本発明の第５の実施の形態による品物の包装容器１０は筒状を呈し、図５に示された本発明の第３の実施の形態による品物の包装容器１０は正方形を呈し、そして、図６に示された本発明の第４の実施の形態による品物の包装容器１０は長方形を呈する。
【００１４】
しかしながら、本発明に係る品物の包装容器１０は、これらの形状に何ら限定されることなく、予測可能なあらゆる形状のものが適用可能であることは言うまでもない。さらに、コンパクトディスク２０の形状及び収納凹部１３の形状も、必ず円形を呈するとは限らず、他の予測可能な形状に変更可能である。
【００１５】
さらに、図１ないし図３に示された本発明の第１の実施の形態、及び図６に示された本発明の第４の実施の形態による品物の包装容器１０は、上記嵌合突部１４の外側縁に、コンパクトディスク２０の中心孔２１の上縁に係止される多数の係止突起１４ａを放射状に形成することにより、コンパクトディスク２０を一層堅固に支持できるような構造を有する。
【００１６】
また、図４に示された本発明の第２の実施の形態、及び図５に示された本発明の第３の実施の形態による品物の包装容器１０は、上記収納凹部１３の内周面に、コンパクトディスク２０の外周側の上縁に係止される多数の係止突起１３ａを形成することにより、コンパクトディスク２０を一層堅固に収納・支持できるような構造を有する。
【００１７】
図７は、本発明の第５の実施の形態による品物の包装容器１０の要部縦断面図である。これを参照すれば、本発明の第５の実施の形態による品物の包装容器１０は、容器本体１１の下端に収納凹部１３を設け、該収納凹部１３の内周面に、コンパクトディスク２０の外周側の上縁に係止される多数の係止突起１３ａを形成することにより、コンパクトディスク２０を一層堅固に収納・支持できるような構造を有する。
【００１８】
一方、前記図１ないし図６に示された本発明の第１ないし第４の実施の形態による品物の包装容器１０は、コンパクトディスク２０が入れられた蓋体１２の上端に保護フィルム１５が貼り付けられ、本発明の第５の実施の形態による品物の包装容器１０は、コンパクトディスク２０が入れられた容器本体１１の下端に保護フィルム１５が貼り付けられている。
しかし、本発明はこれらに何ら限定されることなく、容器本体１１に蓋体１２が取り付けられている品物の包装容器１０の全体を保護フィルムにより包んでも良い。
【００１９】
このような構成を有する本発明においては、コンパクトディスク２０を別途に包んで保管しておき、品物の包装容器１０と別途に提供することが不要になる。すなわち、品物の包装容器の蓋体１２の上端または容器本体１１の下端に設けられた収納凹部１３に、コンパクトディスク２０を嵌め込んで品物の包装容器１０と一体に包装・保管しておき、品物の包装容器１０に入れられた品物の有償販売または無償提供時に、品物と一緒にコンパクトディスク２０を提供すれば良い。
【図面の簡単な説明】
【００２０】
【図１】本発明の第１の実施の形態による品物の包装容器の分解斜視図。
【図２】同品物の包装容器の結合状態の斜視図。
【図３】同品物の包装容器の要部縦断面図。
【図４】本発明の第２の実施の形態による品物の包装容器の分解斜視図。
【図５】本発明の第３の実施の形態による品物の包装容器の分解斜視図。
【図６】本発明の第４の実施の形態による品物の包装容器の分解斜視図。
【図７】本発明の第５の実施の形態による品物の包装容器の要部縦断面図。
【符号の説明】
【００２１】
１０    品物の包装容器
１１    容器本体
１２    蓋体
１３    収納凹部
１３ａ  係止突起
１４    嵌合突部
１４ａ  係止突起
１５    保護フィルム
２０    コンパクトディスク
２１    中心孔
【図１】
2006188283.tif 000003
【図２】
2006188283.tif 000004
【図３】
2006188283.tif 000005
【図４】
2006188283.tif 000006
【図５】
2006188283.tif 000007
【図６】
2006188283.tif 000008
【図７】
2006188283.tif 000009